(57)【要約】【課題】  自動車用車体カバーにおいて、資材のコスト以外の作業の人件費や再塗装コストなどを低減できるようにする。【解決手段】  車体を覆う基布層と、この基布層における車体とは反対側に積層されたフィルム層とを有した積層体２にて構成されるとともに、自動車の窓に対応する部分が、積層体２に代えて透光性フィルム３にて構成されており、車体全体を覆うものである。【選択図】        図１
2007090913.tif 000002
【特許請求の範囲】
【請求項１】
自動車用車体カバーであって、車体を覆う基布層と、この基布層における車体とは反対側に積層されたフィルム層とを有した積層体にて構成されるとともに、自動車の窓に対応する部分が、前記積層体に代えて透光性フィルムにて構成されており、車体全体を覆うものであることを特徴とする自動車用車体カバー。
【請求項２】
自動車用車体カバーであって、車体を覆う第１の基布層と、この第１の基布層における車体とは反対側に積層されたフィルム層と、このフィルム層における第１の基布層とは反対側に積層された第２の基布層とを有した積層体にて構成されるとともに、自動車の窓に対応する部分が、前記積層体に代えて透光性フィルムにて構成されており、車体全体を覆うものであることを特徴とする自動車用車体カバー。
【請求項３】
基布層がオレフィン系樹脂を含む布帛にて形成されており、フィルム層および窓部の透光性フィルムがオレフィン系樹脂含むフィルムにて形成されていることを特徴とする請求項１または２記載の自動車用車体カバー。
【請求項４】
基布層が不織布にて形成されていることを特徴とする請求項１から３までのいずれか１項記載の自動車用車体カバー。
【請求項５】
接着剤を用いずに基布層とフィルム層とが直接に貼り付けられて積層されていることを特徴とする請求項１から４までのいずれか１項記載の自動車用車体カバー。
【請求項６】
オレフィン系樹脂どうしの熱接着によって、積層体どうし、および、または、積層体と透光性フィルムとが熱接着されることによって、車体に沿った形状に形成されていることを特徴とする請求項３記載の自動車用車体カバー。
【請求項７】
自動車のドアに対応した部分に乗降のための開閉部が形成されていることを特徴とする請求項１から６までのいずれか１項記載の自動車用車体カバー。
【請求項８】
開閉部は、ドアに対応した形状の開閉シートが、開閉部の周囲の部分に対してファスナーにて連結されたものであることを特徴とする請求項７記載の自動車用車体カバー。
【請求項９】
開閉シートは、ファスナーによる周囲の部分との連結が解かれたときに、車体カバーにおける開閉部以外の箇所に保持可能とされていることを特徴とする請求項８記載の自動車用車体カバー。
【請求項１０】
自動車のフェンダーの部分において積層体をフェンダーの縁に沿ったアーチ形に保持するための芯材が設けられていることを特徴とする請求項１から９までのいずれか１項記載の自動車用車体カバー。
【請求項１１】
基布層とフィルム層との少なくともいずれかが、耐候剤と紫外線反射性顔料との少なくともいずれかを含有するものであることを特徴とする請求項１から１０までのいずれか１項記載の自動車用車体カバー。
【発明の詳細な説明】
【技術分野】
【０００１】
本発明は自動車用車体カバーに関する。
【背景技術】
【０００２】
国内工場で生産された後や外国から輸入された後の出荷されるまでの間において、すべての自動車を屋内保管することは実質的に不可能である。このため生産・輸入後の自動車は、一般に屋外にて保管されている。
【０００３】
その間において、製品の品位を低下させないように、車体の表面を保護する必要がある。このため、たとえば特許文献１には、車体をマスキングして保護するための、粘着性を付与したフィルムが提案されている。
【特許文献１】特開２０００−３８５５８号公報
【発明の開示】
【発明が解決しようとする課題】
【０００４】
しかしながら、粘着性を有したフィルムで車体をマスキングする際には、このフィルムを車体に貼り付ける作業が必要になる。しかも、そのときにシワが発生しないようにしなければならず、１台の自動車への貼り付け作業のために２名以上の作業者が必要になる。シワが発生すると、屋外保管しているために、そのシワと車体との隙間に雨水や砂や埃が入り込み、車体の塗装面に傷がついてしまう。また、従来においては一般に車体のボンネットと天井のみしかフィルムを貼り付けておらず、車体全体を覆っていないので、塗装面に少なからず傷がつく。
【０００５】
塗装面に傷がつくと再塗装などが必要となるため、コストのうえでは、フィルム資材単体のコストだけでなく、「マスキングフィルムの費用＋貼り付けのための作業の人件費＋再塗装などの再整備の費用」といった各種のコストの累積となる。このためトータルコストの低減が課題となっている。
【０００６】
そこで本発明は、このような課題を解決し、自動車用車体カバーにおいて、資材のコスト以外の作業の人件費や再塗装コストなどを低減できるようにすることを目的とする。
【課題を解決するための手段】
【０００７】
この目的を達成するため本発明の自動車用車体カバーは、車体を覆う基布層と、この基布層における車体とは反対側に積層されたフィルム層とを有した積層体にて構成されるとともに、自動車の窓に対応する部分が、前記積層体に代えて透光性フィルムにて構成されており、車体全体を覆うものであることを特徴とする。
【０００８】
本発明のもう一つの自動車用車体カバーは、車体を覆う第１の基布層と、この第１の基布層における車体とは反対側に積層されたフィルム層と、このフィルム層における第１の基布層とは反対側に積層された第２の基布層とを有した積層体にて構成されるとともに、自動車の窓に対応する部分が、前記積層体に代えて透光性フィルムにて構成されており、車体全体を覆うものであることを特徴とする。
【０００９】
これらの構成であると、基布層によって車体に柔軟に接触することで、塗装面に傷が発生することを防止できるうえに、フィルム層によって雨水などに対する防水効果を得ることができ、車体全体を覆うものであることから車体全体の塗装面における傷の発生を効果的に防止することができる。また自動車の車体全体にカバーを被せるだけでよく、従来のマスキングフィルムのような車体への貼り付け作業が必要でない利点がある。しかも、再塗装などの再整備も不要である。しかも、窓に対応する部分が透光性フィルムにて構成されていることから、視界を確保することができて、カバーをかけたまま自動車を走行させることができる。
【００１０】
本発明によれば、上記において、基布層がオレフィン系樹脂を含む布帛にて形成されており、フィルム層および窓部の透光性フィルムがオレフィン系樹脂含むフィルムにて形成されていることが好適である。
【００１１】
このような構成であると、基布層とフィルム層と透光性フィルムとがいずれもオレフィン系樹脂を含む材料にて形成されているため、車体カバーを柔軟なものとすることができ、このため布帛にて覆われる車体の塗装面に傷がつきにくく、また車体カバーを使用しないときに折り畳んだ際に透光性フィルムにシワが発生しにくく、したがって視界が悪くなりにくいという利点がある。さらに、基布層とフィルム層との両者を容易に一体化することができるのみならず、基布層とフィルム層とが積層された積層体と透光性フィルムとを容易に接合することができ、しかも車体を覆うカバーを車体に沿った形状に形成するときなどにおける積層体どうしの接合も容易である。
【００１２】
本発明によれば、上記において、基布層が不織布にて形成されていることが好適である。
このような構成であると、基布層を織物や編物で構成する場合に比べて安価に構成することができる。
【００１３】
本発明によれば、上記において、接着剤を用いずに基布層にフィルム層が直接に貼り付けられて積層されていることが好適である。
このような構成であると、接着剤の溶剤などが塗装面に悪影響を及ぼすおそれがないという利点がある。また上記のように基布層とフィルム層とがともにオレフィン系樹脂を含む材料にて形成されている場合は、接着剤を用いずに熱接着などによって容易に基布層にフィルム層を貼り付けることができる。
【００１４】
本発明によれば、上記において、積層体どうし、および、または、積層体と透光性フィルムとが、オレフィン系樹脂どうしの熱接着によって、車体に沿った形状に形成されていることが好適である。
【００１５】
このような構成であると、オレフィン系樹脂どうしの熱接着によって簡単に接着一体化することができ、車体カバーを容易に車体に沿った形状に形成することができる。
【００１６】
本発明によれば、上記において、自動車のドアに対応した部分に乗降のための開閉部が形成されていることが好適である。
【００１７】
このような構成であると、カバーを掛けたまま車内に乗り込むことができるとともに、窓に対応する部分が透光性フィルムにて構成されているためカバーを掛けたまま自動車を運転して走行させることができる。
【００１８】
本発明によれば、上記において、開閉部は、ドアに対応した形状の開閉シートが、開閉部の周囲の部分に対してファスナーにて連結されたものであることが好適である。
このような構成であると、開閉部を容易に開閉することができる。
【００１９】
本発明によれば、上記において、開閉シートは、ファスナーによる周囲の部分との連結が解かれたときに、車体カバーにおける開閉部以外の箇所に保持可能とされていることが好適である。
【００２０】
このような構成であると、カバーを掛けたまま自動車を運転して走行させるためにこの自動車に乗り降するときに、開閉シートが邪魔にならないという利点がある。
【００２１】
本発明によれば、上記において、自動車のフェンダーの部分において積層体をフェンダーの縁に沿ったアーチ形に保持するための芯材が設けられていることが好適である。
【００２２】
このような構成であると、カバーはフェンダーの縁に沿ったアーチ形に保持されるためにタイヤに触れることがなく、したがってカバーを掛けたまま支障なく自動車を走行させることができる。
【００２３】
本発明によれば、上記において、基布層とフィルム層との少なくともいずれかが、耐候剤と紫外線反射性顔料との少なくともいずれかを含有するものであることが好適である。
このような構成であると、フィルム層のみならず基布層についても、気象条件や紫外線による劣化を防止することができる。
【発明の効果】
【００２４】
以上のように本発明の自動車用車体カバーによると、基布層によって車体に柔軟に接触することで塗装面に傷が発生することを防止できるうえに、フィルム層によって雨水などに対する防水効果を得ることができる。また車体に被せるだけで車体全体を覆うものであることから車体全体の塗装面における傷の発生を効果的に防止することができる。このため、コストのうえでは、「カバーを構成する資材の費用＋貼り付けのための作業の人件費＋再塗装などの再整備の費用」といったトータルコストの低減を行うことができる。また使い捨てでなく、複数回以上の再使用が可能であるため、その点でもコストの低減を図ることができる。しかも、窓に対応する部分が透光性フィルムにて構成されていることから、視界を確保することができて、カバーをかけたまま自動車を走行させることができる。
【発明を実施するための最良の形態】
【００２５】
図１および図２は、本発明の実施の形態の車体カバー１によって自動車の車体の全体を覆った状態を示す。車体カバー１は、大半の部分が積層体２によって構成されているとともに、自動車のフロントウィンドウとリヤウィンドウとに対応する部分は、透光性フィルム３によって構成されている。
【００２６】
図３は、車体カバー１の断面構造の一例を示す。ここで、４は、車体すなわちその塗装面を示す。積層体２は、車体４を覆う補強兼緩衝層としての基布層５と、基布層５における車体４とは反対側の面に積層された防水層としてのフィルム層６とが一体化された構成である。
【００２７】
図４は、車体カバー１の断面構造の他の例を示す。ここでは、積層体２は、車体４を覆う緩衝層としての第１の基布層５Ａと、第１の基布層５における車体４とは反対側の面に積層された防水層としてのフィルム層６と、フィルム層６における第１の基布層５Ａとは反対側に積層された補強層としての第２の基布層５Ｂとが一体化された構成が採用されている。
【００２８】
基布層５、５Ａ、５Ｂは、布帛、すなわち織物、編物、不織布などによって構成されている。これらの布帛は、合成繊維や天然繊維などによる長繊維や短繊維によって構成することができる。車体カバー１が所定の性能を有したうえで、その取扱い性が良好であるためには、その目付は、１２〜２００ｇ／ｍ２であることが好ましく、３０〜１００ｇ／ｍ２であることがいっそう好ましい。具体的な繊維としては、芯部にポリエチレンテレフタレート（以下、「ＰＥＴ」と略称する）を配するとともに鞘部にポリエチレン（以下、「ＰＥ」と略称する）を配した断面構造のＰＥＴ／ＰＥ芯鞘型繊維や、芯部にポリプロピレン（以下、「ＰＰ」と略称する）を配するとともに鞘部にＰＥを配した断面構造のＰＰ／ＰＥ芯鞘型繊維や、ＰＥＴ／ＰＰサイドバイサイド型繊維や、ＰＰ単相繊維や、ＰＥＴ単相繊維や、ナイロン繊維や、綿や、レーヨンや、パルプなどを挙げることができる。
【００２９】
積層体２が図３に示す２層構造である場合は、基布層５は、車体４の塗装面を傷付けないための緩衝作用と、積層体２の強度を担う作用とを発揮することが求められ、それに対応した物性を有することが望ましい。基布層５は、フィルム層６と積層一体化されるものであり、このためオレフィン系樹脂を含むものであることが好適であるが、それに限定されるものではない。
【００３０】
積層体２が図４に示す３層構造である場合には、第１の基布層５Ａは、より緩衝性の高いものを用いることができる。この場合に、緩衝性を重視すると引張・引裂強度などの機械的強度が不足することがあるため、第２の基布層５Ｂによる補強を行う。第２の基布層５Ｂは、柔軟性よりも機械的強度に優れたものを用いるが、後述のように透光性フィルム３と熱接着されるものであり、このためオレフィン系樹脂を含むものであることが望ましい。これに対し第１の基布層５Ａは、フィルム層６と積層一体化されるものであるためオレフィン系樹脂を含むものであることが好適であるが、それに限定されるものではない。
【００３１】
特に積層体２が図３に示すように単一の基布層５とフィルム層６とを積層したものである場合は、布帛にて形成された基布層５の表面には、意匠性や車種識別性を付与する目的で、印刷を行うことが好適である。そして、その印刷面にフィルム層６を積層することで、印刷インクの堅牢度を保持することができる。
【００３２】
フィルム層６は、低密度ポリエチレン、線状低密度ポリエチレン、高密度ポリエチレン、ＰＰなどによって形成することができる。その厚みは、１０〜２００μｍ程度とすることができるが、防水性や柔軟性を考慮すると３０〜１００μｍであることが好ましい。フィルム層６も、後述の理由によって、オレフィン系樹脂を含むものであることが好適である。
【００３３】
図３に示す２層構造の場合において、積層体２を構成するためにフィルム層６を基布層５に積層するための手法としては、基布層５に樹脂を直接押出しラミネートさせて直接貼り付けるか、接着剤を用いて接着することなどが挙げられる。なかでも、押出しラミネートさせて直接貼り付けるものが、接着剤を用いる場合のように溶剤などが車体４の塗装面に悪影響を及ぼすというおそれがない利点がある。このとき、上述のように基布層５とフィルム層６とがともにオレフィン系樹脂を含むものであると、接着剤を用いることなしに、熱接着によって容易に両者の貼り合せを行うことができる。しかも、オレフィン系樹脂を含むことで車体カバー１を柔軟なものとすることができて、この車体カバー１にて覆われる車体の塗装面に傷がつきにくいようにすることができる。図４に示す３層構造の場合は、第１の基布層５Ａと第２の基布層５Ｂとの間にフィルム層６のための樹脂を押出しするか、両者５Ａ、５Ｂの間にフィルム層６を挟み込んで一体化させる。
【００３４】
フィルム層６を構成する各樹脂は、透光性を有するものであるが、意匠性や車種識別性を付与する目的で顔料により着色することもできる。またフィルム層６には、耐候剤や、白色顔料などの紫外線反射性顔料などを含有させることが好適である。このようなものであると、屋外に置かれる自動車に用いられるときに、フィルム層６そして基布層５が気象条件や紫外線により劣化することを防止できる。基布層５、５Ａ、５Ｂに同様の処理を施すこともできる。
【００３５】
透光性フィルム３は、上述のような自動車のフロントウィンドウやリヤウィンドウなどの、車体カバー１における自動車の窓に対応する部分に設けられている。この透光性フィルム３は、単層フィルムや積層フィルムによって構成することができ、たとえば、ＰＥ単層フィルム、ＰＰ単層フィルム、ＰＥＴ／ＰＥドライラミネートフィルム、ナイロン／ＰＥドライラミネートフィルム、ＰＰ／ＰＥドライラミネートフィルム、ＰＥ／ＰＥ共押出フィルムなどによって構成することができる。延伸フィルム、未延伸フィルムのいずれも利用することができる。この透光性フィルム３も、フィルム層６や第２の基布層５Ｂとの熱接着のために、オレフィン系樹脂を含むものであることが好適である。
【００３６】
車体カバー１を装着したときの車内からの外部の視認性を向上させるために、透光性フィルム３に、窓ガラスに対して粘着性を有するフィルムを全面もしくは部分的に使用することができる。このようなものであると、窓ガラスとフィルム３との密着性を向上させて上記の視認性を増大させることができる。
【００３７】
図３に示すように、積層体２のフィルム層６と透光性フィルム３とは、それらの縁部どうしが熱接着部７によって互いに接着一体化されている。同様に、図４に示すように、積層体２の第２の基布層５Ｂと透光性フィルム３との縁部どうしを熱接着部７によって互いに接着一体化させることができる。熱接着の手法しては、加熱接着、高周波接着、超音波接着などが挙げられる。このとき、上述のようにフィルム層６あるいは第２の基布層５Ｂと透光性フィルム３とがともにオレフィン系樹脂を含むものであると、熱接着によって容易に両者を接着することができる。熱接着部７を連続的に形成することで、止水効果を発揮することができる。
【００３８】
車体カバー１は、上述のように積層体２と透光性フィルム３とが熱接着されるほかに、積層体２どうしが熱接着されることで、自動車の車体に沿った適当な形状に形成されている。図１および図２において、８は、積層部２どうしの熱接着部で、積層体２が適当な形状に裁断されたうえで、その端縁部どうしが重ねられて熱接着されたものである。この熱接着部８も、これを連続的に形成することで、止水効果を発揮することができる。
【００３９】
上記のように自動車の車体に沿った形状に形成されている車体カバー１は、自動車の車体の底部において開口した構成となっている。図示のように、この開口を縛ってカバー１を車体に保持させるための紐９を設けることが好適である。この紐９は、ゴム紐などによって構成され、縫製などによって車体カバー１に取り付けることができる。たとえば、上記開口における車体の一方の側部に対応した部分と他方の側部に対応した部分とにそれぞれ紐９を取り付け、いずれか一方の側部に取り付けられた紐９を車体よりも下側に這わせて他方の側部に到達させ、そこで他方の側部に取り付けられた紐９に結び付けることで、カバー１を車体に保持させることができる。このように紐９どうしを結び付けると、一方の側部に取り付けられた紐９は、車体の底部に接することになるため、この紐９は、耐熱性を有する素材を使用したものが好適である。また車体よりも下側に這わせるときの作業効率を考慮して、重量のあるものを使用することが好適である。車種識別性を付与するなどの目的で、紐９に着色を施すこともできる。
【００４０】
紐９を設けることと同様の目的で、車体カバー１における上述の開口の縁部にはゴム紐１０が通されている。これにより、カバー１を車体に装着したときに開口を絞ることによる保持機能を付与することができる。
【００４１】
図５、図１、図２に示すように、車体カバー１における、自動車の特に運転席のドア１１に対応した部分に、自動車への乗降の際に開口させることができる開閉部１２が設けられている。この開閉部１２は、積層体２によってドア１１に対応した形状に形成された開閉シート１３を有し、この開閉シート１３は、車体カバー１における開閉部１２の周囲の部分に対してファスナー１４にて連結されることができるように構成されている。詳しくは、図４に示すように、開閉シート１３は、自動車におけるドア１１が設けられている部分の天井の位置で車体カバー１に連続するように設けられており、それ以外の部分ではファスナー１４によって開閉できるように構成されている。ファスナー１４は、車体４すなわち塗装面を傷つけないように、軟質樹脂などによって形成されている。
【００４２】
図４はファスナー１４による開閉シート１３の連結を解いて開閉部１２を開いた状態を示す。このとき、開閉シート１３は、図示のように、折り畳んだうえで、車体カバー１における自動車の屋根に対応した部分に、面ファスナーなどを用いて保持することができる。
【００４３】
図示のように開閉部１２の開閉シート１３を開いたときに、それによって形成される開口の周縁で車体カバー１が浮き上がったり位置ずれを起こしたりしないように、その周縁部に、積層体２によって引掛り部１５を形成している。この引掛り部１５は、自動車におけるドア１１の周囲の枠部１６に引掛けられることで、上記した車体カバー１の浮き上がりや位置ずれを防止可能である。
【００４４】
図１、図２、図５において、１８は自動車のタイヤである。車体カバー１において、１９は、自動車におけるタイヤ１８の周囲のフェンダーの部分を覆うフェンダーカバー部である。フェンダーカバー部１９は、積層体２によって構成されるとともに、タイヤ１８の回転を阻害しないように、すなわちタイヤ１８に接触しないように、フェンダーの縁に沿ったアーチ形に形成されている。
【００４５】
図６は、フェンダーカバー部１９の要部を示す。図示のように、フェンダーカバー部１９には、このフェンダーカバー部１９をフェンダーの縁に沿ったアーチ形に形状保持するための芯材２０が設けられている。芯材２０は、たとえば厚手のクロスを二重にしたものによって構成され、縫製などによって積層体２と一体化されている。芯材２０として、樹脂成形品などを用いることもできる。この芯材２０を自動車のフェンダーの縁に引掛けるようにして装着することで、前述のようにフェンダーカバー部１９がタイヤ１８に接触することを防止可能である。なお、フェンダーカバー部１９にはゴム紐１０は通されていない。
【００４６】
本発明の車体カバー１は、上記した構成であり、基布層５、５Ａによって車体に柔軟に接触することで塗装面に傷が発生することを防止できるうえに、フィルム層６によって雨水などに対する防水効果を得ることができ、車体全体を覆うものであることから車体全体の塗装面における傷の発生を効果的に防止することができる。
【００４７】
また、開閉部１２を有するため車体カバー１を掛けたまま車内に乗り込むことができ、窓に対応する部分が透光性フィルム３にて構成されていることから、視界すなわち外部の視認性を確保することができて、車体カバー１を掛けたまま自動車を運転して走行させることができる。このとき、車体カバー１におけるフェンダーカバー部１９に芯材２０が設けられているため、フェンダーカバー部１９は自動車のフェンダーに沿ったアーチ形に保持され、このためタイヤ１８との接触が効果的に防止される。したがって、この点によっても、車体カバー１を掛けたまま支障なく自動車を運転して走行させることができる。
【００４８】
このような自動車の走行は、屋外における保管位置の変更の際などの短い距離だけであるので、車体カバー１を掛けたままであっても何ら問題は生じない。このとき、図４に示すように開閉シート１３を開いたうえで折り畳んで屋根の部分に保持しておくことで、運転中もその保持状態を保つことができ、運転終了後の自動車から降りたときに初めて元通りに開閉シート１３を閉じればよい。このようにすれば、運転中に、運転席の側部の視界を確保することができる。
【００４９】
自動車の助手席側は、外部の視認性があまり要求されないため、透光性フィルム３を用いずに積層体２だけで構成することが可能である。しかし、必要に応じて、図７に示すようにその側窓部に対応する部分を透光性フィルム３にて構成すれば、視認性を向上させることができる。
【００５０】
このように本発明の車体カバー１によれば、自動車の車体全体にカバー１を被せるだけでよく、従来のマスキングフィルムのような車体への貼り付け作業が必要でない利点がある。しかも、再塗装などの再整備も不要である。このため、コストのうえでは、「カバー１を構成するフィルム資材の費用＋貼り付けのための作業の人件費＋再塗装などの再整備の費用」といったトータルコストの低減を行うことが可能である。また使い捨てでなく、複数回以上の再使用が可能であるため、その点でもコストの低減を図ることができる。
【００５１】
車体カバー１の具体例について説明する。積層体２を構成する基布層５、５Ａ、５Ｂは、たとえばユニチカ社製の商品名「エルベス」（芯ＰＥＴ／鞘ＰＥの芯鞘型繊維を用いた不織布）であって目付５０ｇ／ｍ２のものを用いることができ、これに厚さ４０μｍのＰＥフィルムを押出しラミネートしてフィルム層６を形成することができる。フィルム層６のＰＥフィルムには、耐候剤および白色顔料を添加することができる。透光性フィルム３には、たとえば厚さ１００μｍ程度の、ＰＥフィルムやＰＥ／ＰＥラミネートフィルムやＰＥＴ／ＰＥラミネートフィルムなどを用いることができる。各部の接着方法としては高周波熱接着を適用することができ、フェンダーカバー部１９の芯材２０にはＰＰ織物を用いることができる。
【図面の簡単な説明】
【００５２】
【図１】本発明の実施の形態の車体カバーを自動車に被せた状態を示す、自動車前方からの斜視図である。
【図２】同状態を示す自動車後方からの斜視図である。
【図３】同車体カバーの断面構造の一例を示す図である。
【図４】同車体カバーの断面構造の他の例を示す図である。
【図５】同車体カバーにおける自動車のドアに対応した開閉部を開いた状態を示す図である。
【図６】同車体カバーにおけるフェンダーカバー部を示す図である。
【図７】本発明の実施の形態の車体カバーを自動車に被せた状態を示す、自動車後方からの斜視図である。
【符号の説明】
【００５３】
１    車体カバー
２    積層体
３    透光性フィルム
４    車体
５    基布層
６    フィルム層
７    熱接着部
８    熱接着部
１３    開閉シート
１９    フェンダーカバー部
【図１】
2007090913.tif 000003
【図２】
2007090913.tif 000004
【図３】
2007090913.tif 000005
【図４】
2007090913.tif 000006
【図５】
2007090913.tif 000007
【図６】
2007090913.tif 000008
【図７】
2007090913.tif 000009